(57)【要約】【課題】少なくとも、電気回路を備え且つ冷蔵庫本体から容易に取り外し可能に構成されたパネルを備えた冷蔵庫を提供する。【解決手段】電気回路２２と、電気回路２２と電気的に接続された２次コイル２１とを備え、冷蔵庫本体１ａから取り外し可能に配設されたパネル２を備えた冷蔵庫であって、パネル２を保持するパネル保持部１３と、パネル保持部１３又は冷蔵庫本体１ａ内に配置された１次コイル１１とを備え、パネル２がパネル保持部１３に配設された場合に、１次コイル１１から２次コイル２１へと無線電力搬送を可能としたものである。【選択図】図１
2010112572.tif 000002
【特許請求の範囲】
【請求項１】
電気回路と、前記電気回路と電気的に接続された２次コイルとを備え、冷蔵庫本体から取り外し可能に配設されたパネルを備えた冷蔵庫であって、
前記パネルを保持するパネル保持部と、
前記パネル保持部又は前記冷蔵庫本体内に配置された１次コイルと
を備え、
前記パネルが前記パネル保持部に配設された場合に、前記１次コイルから前記２次コイルへと無線電力搬送を可能としたことを特徴とする冷蔵庫。
【請求項２】
前記１次コイル及び前記２次コイルは、コイル面が略水平方向となるように配設され、
前記パネル保持部は、前記１次コイルのコイル内径部分に相当する位置に第１の係合部を備え、
前記パネルの前記２次コイルのコイル内径部分に相当する位置に第２の係合部を備え、
前記パネル保持部の第１の係合部は、前記パネル設置時に前記パネルの第２の係合部に係合して前記パネルの位置決めをすることを特徴する請求項１記載の冷蔵庫。
【請求項３】
前記１次コイルと前記２次コイルとを貫通する位置に、略円筒状のコアを配設したことを特徴とする請求項１又は２記載の冷蔵庫。
【請求項４】
前記パネルの設置時に、前記１次コイルと前記２次コイルと前記コアとが略同一水平面上に配設されるようにしたことを特徴とする請求項３記載の冷蔵庫。
【請求項５】
前記１次コイルは、前記冷蔵庫本体の前記パネル保持部の近傍にコイル面が略垂直方向となるように配設されるとともに、内径中心軸部分にコアが配設され、
前記２次コイルは、前記パネルにコイル面が略垂直方向となるように配設され、
前記パネル保持部は、前記コアが前記２次コイルの内径部分と相対するように前記パネルを保持する
ことを特徴とする請求項１記載の冷蔵庫。
【請求項６】
前記パネル保持部は、前記冷蔵庫本体とは別体構造であり、
前記パネル保持部を上下方向に移動する昇降機構を備えたことを特徴とする請求項１乃至５の何れかに記載の冷蔵庫。
【請求項７】
前記昇降機構は、前記パネル保持部を上下に移動させた際に、前記１次コイルの中心軸が、前記２次コイルの内側から逸脱しないような位置関係を保持することを特徴とする請求項６記載の冷蔵庫。
【請求項８】
前記２次コイルに可視光を発光する可視光光源が接続されていることを特徴とする請求項１乃至７の何れかに記載の冷蔵庫。
【請求項９】
前記２次コイルに前記電磁波発生装置が接続されていることを特徴とする請求項１乃至７の何れかに記載の冷蔵庫。
【請求項１０】
前記電磁波発生装置が可視光光源であることを特徴とする請求項９記載の冷蔵庫。
【請求項１１】
前記可視光光源から放射された可視光の一部が少なくとも冷蔵庫内に向けて照射されるとともに、可視光の一部が略正面方向に向けて放射され、前記パネルの先端部分の輝度を高めることを特徴とする請求項８又は１０記載の冷蔵庫。
【請求項１２】
前記可視光光源に漏洩形導光板が接続され、前記可視光光源から放射された可視光の一部が冷蔵庫内に向けて照射されることを特徴とする請求項１１記載の冷蔵庫。
【請求項１３】
前記パネル先端部分の発光部分を、冷蔵庫本体に設けられた冷蔵庫扉の外側から視認可能としたことを特徴とする請求項１１又は１２記載の冷蔵庫。
【請求項１４】
前記冷蔵庫扉は、前記パネル先端部分の発光を前記冷蔵庫扉を貫通して前記冷蔵庫扉の表面側に導く扉導光部を備えたことを特徴とする請求項１３記載の冷蔵庫。
【請求項１５】
前記パネルは、冷蔵庫本体の正面視においてその左右にそれぞれ形成された発光部と、前記発光部の間に位置する非発光部とを備え、
前記発光部は漏洩形導光板から構成されており、
前記発光部の外壁部側に前記可視光光源を配置したこと
を特徴とする請求項８又は１０記載の冷蔵庫。
【請求項１６】
前記可視光光源から放射される光の反射波を受信し、受信したシグナル又はデータ処理されたシグナルを前記２次コイルに重畳させて、前記１次コイル側に伝送する機構を有することを特徴とする請求項８又は１０記載の冷蔵庫。
【請求項１７】
前記冷蔵庫本体側においては冷蔵庫扉の開閉状態を検知することを特徴とする請求項１６記載の冷蔵庫。
【発明の詳細な説明】
【技術分野】
【０００１】
この発明は、電気回路を備え、且つ冷蔵庫本体に取り外し可能に配置されるパネルを備えた冷蔵庫に関する。
【背景技術】
【０００２】
一般に冷蔵庫内の照明は、冷蔵庫内壁の上・下・奥・横などに配置され、冷蔵庫の扉を開けた際に照明装置に給電され点灯するように構成されている。しかし、冷蔵庫内は上下に仕切るためのパネルが設けられ、このパネル上に食材類を置いて冷却や保存を行うために、照明の影部分ができやすく、食材類の視認性が悪くなる場合があった。また、このパネルは汚れた場合に洗い易くするために、容易に取り外すことができることが望ましかった。
【０００３】
ところで、冷蔵庫用の照明装置としては、例えば光源と導光板とを組み合わせて面状に発光させて広範囲に照明する方法が提案されている（例えば特許文献１参照）。
また、冷蔵庫において本体から移動可能な扉部分に給電するために、コイルにより無線電力搬送を用いた方法が提案されている（例えば特許文献２参照）。
また、冷蔵庫内の食材に光照射することによって、食材の機能性が向上することが知られている（例えば非特許文献１参照）。すなわち、冷蔵庫などの食品保存庫の内部には、冷却に関わる機構以外に、電力を得て稼働する電気回路を用いた機構を組み込むことによって、使い勝手や機能性を向上させる手法が知られている。
【０００４】
【特許文献１】特開平９−２０３５８２号公報（図１）
【特許文献２】特許第３６１６３４８号公報（図１）
【非特許文献１】「電磁波と食品」、大森  編著、光琳社、平成５年
【発明の開示】
【発明が解決しようとする課題】
【０００５】
しかしながら、冷蔵庫内に配置されたパネルに光源などと接続された電気回路を配設するとともに、パネルを容易に取り外すことが可能な構成については、未だ提案されていない。また、上下に可動なパネルに配設された電気回路に対して、効率よく電力を搬送する機構についても未だ提案されてない。
【０００６】
この発明は、上記のような状況に鑑みてなされたものであり、少なくとも、電気回路を備え且つ冷蔵庫本体から容易に取り外し可能に構成されたパネルを備えた冷蔵庫を提供することを目的とする。
【課題を解決するための手段】
【０００７】
この発明に係る冷蔵庫は、電気回路と、前記電気回路と電気的に接続された２次コイルとを備え、冷蔵庫本体から取り外し可能に配設されたパネルを備えた冷蔵庫であって、前記パネルを保持するパネル保持部と、前記パネル保持部又は前記冷蔵庫本体内に配置された１次コイルとを備え、前記パネルが前記パネル保持部に配設された場合に、前記１次コイルから前記２次コイルへと無線電力搬送を可能としたものである。
【発明の効果】
【０００８】
本発明においては、上記の構成を備えたことにより、前記パネルをパネル保持部に設置するだけで、パネルに配設された電気回路に給電することができて、且つ、パネルを容易に取り外すことができるため、パネルを洗浄したり取り替えたりすることが容易となる。例えば電気回路に照明装置を組み込むことによって、パネルを設置した冷蔵庫内を広範囲にわたる照明が可能となり、視認性が向上する。
【発明を実施するための最良の形態】
【０００９】
実施の形態１．
図１は、この発明の実施の形態１に係る冷蔵庫の扉を外した状態の正面図である。
冷蔵庫１の本体１ａにはパネル保持部１３が設けられ、パネル保持部１３に1次コイル１１が設置されている。1次コイル１１には電源１７から交流電力が供給される。パネル２は、パネル保持部１３により保持されており、冷蔵庫本体１ａに取り外し可能に構成されている。パネル２には、２次コイル２１が設けられており、２次コイル２１に電気回路２２が接続されている。
【００１０】
図２は、パネル２及びパネル保持部１３の接続部分の詳細を示した図である。
図２に示されるように、パネル２にはコイル面が略水平方向となるように２次コイル２１が設けられ、コイル中心部には円形の穴（第２の係合部）２ａがあけられている。このパネル２を受けるパネル保持部１３は、冷蔵庫本体１ａの内壁面から内側に突起し、上面がほぼ平面で、下面が傾斜した部材から構成されており、コイル面が略水平方向となるように１次コイル１１が配置されている。１次コイル１１のコイル中心部に相当するパネル保持部１３には例えば略半球状の突起部（第１の係合部）１４が設けられている。なお、パネル保持部１３は、図の紙面に直交する方向には連続的に設けてもよいし、或いは離散的に設けてもよい（その場合には直交する方向に２箇所）。
【００１１】
パネル２を冷蔵庫本体１ａに設置する際には、パネル２の穴部２ａとパネル保持部１３の突起部１４とが嵌合し、パネル２の脱落やズレが抑制されるとともに、両コイル１１、１２の位置が決まるために、コイル間の電力搬送の効率を高くすることができる。
なお、１次コイル１１と電源１７との間に電気回路（図示せず、但し、図１２参照）を設け、電気回路の制御によって１次コイル１１の入力電力を制御するようにすれば、電力搬送や２次側の電気的負荷にあわせた最適な電力入力を行うことができる。
【００１２】
ところで、上記の１次コイル１１及び２次コイル２１の形状は円形でなくても、中心軸に磁場が発生すればよく、略四角状や不規則な形態でもよい。また、突起部１４は半球状でなくてもよく、円筒や角柱でもよい。
また、この発明の第２の係合部に相当するパネル２の穴２ａは貫通していなくてもよく、パネル保持部１３上のパネル位置決めができる形態であれば、パネル下面に凹部（２ｂ、図３参照）が形成されていたり、或いはパネル保持部１３とパネル２との接点部分に微細な凹凸加工を施して、滑りを防止したものでもよい。
また、パネル保持部１３は、できるだけ小さく、冷蔵庫１の庫内容積を減らさないように配置することが望ましく、冷蔵庫本体１ａの壁の内部側に設けてもよい。
また、１次コイル１１及び２次コイル２１の近傍に温度センサや電流センサを設け、この温度センサや電流センサによって、例えば冷蔵庫１の故障時に１次コイル１１及び２次コイル２１に過剰な電力が供給され過剰に温度上昇した場合には、それを検出するようにしてもよい。
【００１３】
実施の形態２．
図３は、この発明の実施の形態２に係る冷蔵庫のパネル２及びパネル保持部１３の接続部分の詳細を示した図である。
この実施の形態２では、パネル位置決めのために形成された突起部１４の内部に、円柱状のコア１２が配置されている。パネル保持部１３をこのような構造にすることによって、パネル２をパネル保持部１３に設置したときに、１次コイル１１と２次コイル２１とコア１２とが略同一水平面上に位置し、且つ、コア１２が１次コイル１１と２次コイル２１との中心軸を貫通することができる。このため、コイル１１、２１間の無線電力搬送効率が向上する。
【００１４】
なお、コア１２は、その形状が円柱状でなくてもよく、また、１次コイル１１の背面側や外縁側、また、２次コイル側にも配置してよい。
また、図３の例では、突起部１４以外にもパネル２とパネル保持部１３との嵌合部（係合部）２ｃ、１３ｃを設けている。しかし、パネル２とパネル保持部１３とを係合して位置決めするための係合部の機構は、図２及び図３の例に限定されるものではなく、必要な強度や形状に応じていかなる構造としてもよい。
【００１５】
実施の形態３．
図４は、この発明の実施の形態３に係る冷蔵庫のパネル２及びパネル保持部１３の接続部分の詳細を示した図である。
この実施の形態３では、コア１２を１次コイル１１の内側（内径側）に配置するとともに、突起部１４に埋め込んだ構成になっている。このような構成にしたことによって、パネル２をパネル保持部１３に設置したときに、２次コイル２１と１次コイル１１とコア１２とが略同一水平面上に配置されることになり、コイル１１、２１間の無線電力搬送効率が向上する。
なお、図４の例では、１次コイル１１が２次コイル２１の内側になっているが、逆に２次コイル２１が内側でもよく、また、コア１２がパネル２側にあってもよい。そのようにした場合には、突起部１４はパネル２側に設けられる。
【００１６】
実施の形態４．
図５は、この発明の実施の形態４に係る冷蔵庫のパネル２及びパネル保持部１３の接続部分の詳細を示した図である。
この実施の形態４では、１次コイル１１と２次コイル２１とがコイル面が略垂直方向となるよう配置され、パネル保持部１３がスリットを構成している。即ち、パネル２の端部が直角に下方に折り曲げられ、その端部内に２次コイル２１が配置されている。パネル保持部１３は、冷蔵庫本体１ａの内壁面との間にスリット部１３ｄを構成するようして端部が直角に上方に折り曲げられている。そして、冷蔵庫本体１ａの壁面内には、１次コイル１１及びコア１２が配置されている。コア１２は、１次コイル１１の裏側と側面、更には端部がパネル保持部１３内の先端部側にまで延長した構成になっている。
この実施の形態４では、パネル２の端部をパネル保持部１３のスリット部１３ｄに挿入すると、冷蔵庫本体１ａ側の１次コイル１１とパネル２側の２次コイル２１が対向配置され、且つ、コア１２が１次コイル側の裏側と側面、更には、２次コイルの裏面までを覆った状態で磁気回路を構成することになる。
【００１７】
この実施の形態４では以上のような構成にすることによって、パネル保持部１３を薄く形成することができて、庫内死容積を少なくすることができる。また、コア１２が上記のような磁気回路を構成することにより、コイル１１、２１間の無線電力搬送効率が向上するとともに、電磁波の漏洩を効果的に抑止できる。
【００１８】
実施の形態５．
図６は、この発明の実施の形態５に係る冷蔵庫のパネル２及びパネル保持部１３の接続部分の詳細を示した図である。
この実施の形態５では、パネル保持部１３を冷蔵庫本体１ａとは別体構造としており、そして、パネル保持部１３の背面にネジ機構１３ｅを設け、冷蔵庫本体１ａ側にはネジ機構１３ｅと係合するギヤからなる移動装置１６が設けられている。ネジ機構１３ｅ及び移動装置１６がこの発明の昇降機構を構成している。
移動装置１６を回転させることによってギヤがネジ機構１３ｅに係合し、これによって、パネル２を上下に移動させることができる。このようにしてパネル２を上下に移動させることにより、パネル２上下の庫内空間の容積を容易に増減することができる。このとき、パネル保持部１３の移動範囲１４１を特定しておくものとする。移動装置１６によるパネル保持部１３の移動範囲１４１が、例えば図６（Ａ）がパネル２の上限位置、図６（Ｂ）がパネル２の下限位置となるようにし、１次コイル１１の中心軸が２次コイル２１の内側から逸脱しないように、移動範囲１４１及びコイル１１、１２の配置位置を調整することによって、パネル保持部１３が上下のどの位置にあっても１次コイル１１から２次コイル２１への無線電力搬送を行うことができる。
この実施の形態５は、このようにパネル２を上下可動させても無線で電力搬送が可能であり、冷蔵庫内に保存する食材などの大きさに合わせてパネル仕切り位置を変えることができる。
【００１９】
実施の形態６．
図７は、この発明の実施の形態６に係る冷蔵庫のパネル２及びパネル保持部１３の接続部分の詳細を示した図である。
この実施の形態６では、２次コイル２１に搬送された交流電力を直流電力へと変換する整流回路２２１が２次コイル２１に接続され、さらに、整流回路２２１の出力側には直流電圧で駆動される光源２３１が接続されている。光源２３１には漏洩型導光板２３２が接続されている。この漏洩型導光板２３２によりパネル２の全面あるいは一部の面を発光光源とすることができる。
この実施の形態６においては、パネル２をこのような形態にすることによって、取り外し可能なパネル２に光源を設けることができて、照明の設置位置の自由性を増すことができる。また、光源２３１に漏洩型導光板２３２が接続され、パネル面の全面あるいは一部の面を発光光源とした形態にしており、このような形態とすることによって、パネル２上に食材などを入れても、光が遮蔽されること無く広範囲に照射することができて、視認性が向上させることができる。
【００２０】
なお、図７に示された光源２３１と漏洩型導光板２３２との位置、個々の発光面の形態、照射方向などは、図示の例に限定されずどのようなものでもよいが、冷蔵庫内に保存した食材などの視認性を向上させるという目的に合致し、光照射の死角が少なくなるように発光部を配置することが望ましい。
【００２１】
図８は、漏洩型導光板の詳細な構造の一例を示した図である。
ここでは、パネル自体を漏洩型導光板２３２を用いて形成し、上部には弱く、下部には強く光が放射されるように表面処理を施している。また、端面には反射板からなる端面反射部２４１を設け、光源２３１から離れた側での光放射強度が低下しないように構成されている。また、漏洩型導光板２３２の上部は、食材や食材をいれたケースなどとの摩擦によって表面に疵ができて、導光性が損なわれることがないように、表面にコーティング膜からなる疵防止コーティング２４０が塗布されている。漏洩型導光板２３２の光学設計にあたっては、疵防止コーティング２４０の屈折率を考慮して漏洩型導光板表面の光強度が均一、あるいは、意匠性の高い光強度分布となるように形成する。
この実施の形態６では、このようにパネル２に配設された電気回路２２に接続された光源２３１を用い、庫内を広範囲に照明する構造（漏洩型導光板２３２）が付加されているので、庫内の視認性を著しく向上させることができる。
【００２２】
また、パネル２の表面又は冷蔵庫内壁などの表面には、光照射された際に脱臭や殺菌機能を有する、いわゆる光触媒でコーティングしてもよい。この場合には、光触媒コーティング面に、触媒作用が得られるに十分な光量が照射できるように光源を配置することが望ましい。また、定期的、あるいはデフロストなどによって庫内温度が上昇し、微生物繁殖が懸念される場合、あるいは庫内の臭気センサの出力値が上昇し、庫内臭気濃度の増加が懸念される場合などにおいては、冷蔵庫扉閉鎖中であっても庫内照明を点灯し、前記の脱臭あるいは殺菌動作を行うことが望ましい。このような光触媒応用のシステムは、取り外し可能なパネル２を光源とすることによって、光源表面が汚れた際に容易に取り外して洗浄できるために、長期にわたって性能を維持できる効果がある。あるいは、上下に可動できるパネル（図６参照）を光源とすることによって、パネル２の下部に食材が置かれている場合であっても、パネルを容易に上方に移動させて、パネル下部に空間をつくり、パネル２の下部に設けた発光部の清掃を容易に行うことができるために、性能の維持が容易にできる効果がある。
また、この実施の形態６を上記の実施の形態５に適用すれば、冷蔵庫内に取り外し可能に設置され、また、上下に移動可能なパネル２に配設された電気回路に対して、効率よく電力を無線で搬送することができる。
【００２３】
実施の形態７．
図９は、この発明の実施の形態７に係る冷蔵庫の構成を示した断面図である。
図９は、冷蔵庫の側面側からみた断面図を示しており、コイル１１、２１を設けた電力搬送部分を庫内奥側に設け、光源２３１から照射された光の一部が導光部２３３を通じて、パネル扉側端面２０１に導かれ、この端面２０１の輝度を増すことができる構造を示している。このような形態にすることによって、冷蔵庫扉１０１を開けたときに、庫内照明を点灯させるとともに、パネル２の手前部分を発光させることができて、意匠性が向上するとともに、取り出した食材をパネル手前側で視認しやすくなる。
【００２４】
さらに、冷蔵庫扉１０１を閉じている場合に、庫内光源を稼働させると、パネル２の庫内扉側片端面２０１から放射された光は、扉に設けられた扉導光部１０２を通じて、パネル扉側端面２０１の意匠部１０３に達することができる。冷蔵庫扉１０１を閉じている際に、光照射をおこなう効果を得る機能を有する場合には、前記のような形態とすることによって、冷蔵庫扉１０１の閉鎖中に光源が点灯していることが、冷蔵庫外から容易に確認することができて、冷蔵庫の機能を視覚的に捉えることが可能となる。
【００２５】
図１０は、光源２３１と導光部２３２との接続方法についてより詳しく示した一例である。光源２３１の発光面２３４には、プリズム２３５が接続され、発光面より放射された光の一部をパネル下面への発光部２３６へと導いている。また、光の一部はレンズ２３７を通じて導光部２３２へと導かれ、さらにパネル扉側端面２０１に達する。このような形態とすることによって、２次コイル２０１に搬送された電力によって照射される光を効率よく庫内照明や意匠照明に使うことができて、パネル２の機能を向上させることができる。
【００２６】
図１１（Ａ）（Ｂ）は、パネル２における光源２３１と漏洩型導光板２３２の位置関係についてより詳しく示した一例であり、（Ａ）は斜視図、（Ｂ）は平面図である。
パネル２は、漏洩型導光板２３２を配置した発光部２４と、導光板を設置しない非発光部２５とからなっている。発光部２４の側面には、適宜、光源２３１が配設されている。また、２次コイル２１は、非発光部２５に設置され、光源２３１と整流回路２２１との配線をパネル２の側面と奥側の光源・配線部分２３８に配設した構造を有する。
このような構成とすることによって、パネル発光部２４の上下には配線などが無く、該発光部２４の上下を同時に発光させた際の意匠性が向上するとともに、パネル２の上部の食材の視認性が向上する。また、漏洩型導光板２３２の発光強度分布および／または発光の方向性を制御することによって、発光部２４がパネル２の一部であっても、パネル２の下部の照度分布を均一にすることができる。
【００２７】
実施の形態８．
図１２は、この発明の実施の形態８に係る冷蔵庫の構成を示した断面図である。
図１２では、光源２３１から照射された可視光が導光部２３３を通じてパネル２の扉側端面に達し、扉１０１が閉じている場合には、扉に設けられた扉内側反射板１０４で反射されて、再び導光部２３３を通じて光検知部２３９に達し、電気回路２２にシグナルが伝達されるように構成されている。このシグナルを電気回路２２で交流信号に変換し（又はシグナルをデータ処理した後に交流信号に変換し）、２次コイル２１に伝送する。２次コイル２１に伝送されたシグナルは、無線電力搬送のための交流に重畳されて１次コイル１１側へと無線で伝送され、電気回路２２に接続された情報処理部１１０において扉の開閉状況を判断する。情報処理部１１０は、扉内側反射板１０４からの信号が検出されない期間は、扉が開放された状態と判断し、この開放時間が所定の時間を超えると報知装置１１１によってユーザーに報知する。すなわち、パネル２の２次コイル２１とパネル保持部１３の１次コイル１１とを利用することによって、パネル２に配設した光学式の扉開閉検知機構に電力を無線で搬送するとともに、その検知機構で得られた情報を無線で冷蔵庫本体１ａに通信することができる。
【００２８】
ここで、パネル２の電気回路２２に接続される装置は、光源２３１と光検知部２３９に限定されない。たとえば、マイクロ波発生装置と温度センサとを組み合わせて配置することによって、パネル２上で食材を所定温度に維持するようにマイクロ波照射を断続的に行い、冷蔵庫内のマイクロ波発生部近傍の食材のみを、庫内の別位置に置いた食材よりも高い温度帯に維持することができる。あるいは、電界を発生させるとともに反射波を検知するアンテナを多数配置することによって、パネル上の物体存在位置のマッピングを行い、このマッピング情報から、長期にわたってパネル上で移動されていない物体が存在していることを報知することもできる。
【００２９】
また、上記の光源２３１は可視光を発生するものであればよく、光源２３１として例えば可視光を発生するマイクロ波発生装置を用いてもよい。
また、上記の実施の形態１〜実施の形態７は、相互に適宜組み合わせてこの発明の冷蔵庫を構成してもよい。
【図面の簡単な説明】
【００３０】
【図１】この発明の実施の形態１に係る冷蔵庫の正面図である。
【図２】この発明の実施の形態１に係るパネル２及びパネル保持部１３の接続部分の詳細を示した図である。
【図３】この発明の実施の形態２に係る冷蔵庫のパネル２及びパネル保持部１３の接続部分の詳細を示した図である。
【図４】この発明の実施の形態３に係る冷蔵庫のパネル２及びパネル保持部１３の接続部分の詳細を示した図である。
【図５】この発明の実施の形態４に係る冷蔵庫のパネル２及びパネル保持部１３の接続部分の詳細を示した図である。
【図６】この発明の実施の形態５に係る冷蔵庫のパネル２及びパネル保持部１３の接続部分の詳細を示した図である。
【図７】この発明の実施の形態６に係る冷蔵庫のパネル２及びパネル保持部１３の接続部分の詳細を示した図である。
【図８】漏洩型導光板の詳細な構造の一例を示した図である。
【図９】この発明の実施の形態７に係る冷蔵庫の構成を示した断面図である。
【図１０】光源２３１と導光部２３２との接続方法についてより詳しく示した一例である。
【図１１】パネル２における光源２３１と漏洩型導光板２３２の位置関係についてより詳しく示した一例であり、（Ａ）は斜視図、（Ｂ）は平面図である。
【図１２】この発明の実施の形態８に係る冷蔵庫の構成を示した断面図である。
【符号の説明】
【００３１】
１  冷蔵庫、２  パネル、１１  １次コイル、１２  コア、１３  パネル保持部、１４  突起部、１５  コイル中心位置、１６  移動装置、１７  電源、２１  ２次コイル、２２  電気回路、１０１  扉、１０２  扉導光部、１０３  扉意匠部、１１０  情報処理回路、１１１  報知装置、２２１  整流回路、２３１  光源、２３２  漏洩型導光板、２３３  導光部、２３４  光源発光面、２３５  プリズム、２３６  パネル下への発光部、２３７  レンズ、２３８  光源・配線部分、２３９  光検知部、２４０  疵防止コーティング、２４１  端面反射部。
【図１】
2010112572.tif 000003
【図２】
2010112572.tif 000004
【図３】
2010112572.tif 000005
【図４】
2010112572.tif 000006
【図５】
2010112572.tif 000007
【図６】
2010112572.tif 000008
【図７】
2010112572.tif 000009
【図８】
2010112572.tif 000010
【図９】
2010112572.tif 000011
【図１０】
2010112572.tif 000012
【図１１】
2010112572.tif 000013
【図１２】
2010112572.tif 000014